(57)【要約】【課題】メダルの大きさごとに異なる制御部をもつメダル送出装置を作製することは、コストアップにも繋がり好ましくない。本発明は２５ｍｍメダルのものと、３０ｍｍのメダルものに共通化できる構成として、コストダウンを図ると共に、遊技場の管理もし易い制御方式のメダル送出装置とするものである。【解決手段】送出ロータの回転によって収容部のコイン状部材が１枚ずつ送出し、送出されるコイン状部材の通過を検出する検出部を送出部に備えた送出装置において、最初に行われるコイン状部材送出動作時に検出部で検出するコイン状部材の直径データに基づき、制御部をその検出した直径のコイン状部材の動作状態にセットし、それ以降の正規のコイン状部材送出動作がその動作状態で継続するよう自動セットするプログラムを制御部が備えたこと。【選択図】図８
2008027047.tif 000002
【特許請求の範囲】
【請求項１】
ベース部材上にコイン状部材の収容部を設け、複数の分離孔を形成して前記ベース部材上に配置した送出ロータの回転によって、前記収容部のコイン状部材が１枚ずつ送出部へ送出され、この送出されるコイン状部材の通過を検出する検出部を前記送出部に備えたコイン状部材送出装置において、このコイン状部材送出装置の電源ＯＮ状態で最初に行われるコイン状部材送出動作時に、前記検出部で検出するコイン状部材の直径データに基づき、制御部をその検出した直径のコイン状部材の動作状態にセットし、それ以降の正規のコイン状部材送出動作がその動作状態で継続するよう自動セットするプログラムを前記制御部が備えたことを特徴とするコイン状部材送出装置。
【請求項２】
ベース部材上にコイン状部材の収容部を設け、複数の分離孔を形成して前記ベース部材上に配置した送出ロータの回転によって、前記収容部のコイン状部材が１枚ずつ送出部へ送出され、この送出されるコイン状部材の通過を検出する検出部を前記送出部に備えたコイン状部材送出装置を組み込んだコイン状部材貸機において、前記コイン状部材送出装置の電源ＯＮ状態で最初に行われる正規のコイン状部材送出動作によって、前記検出部で検出するコイン状部材の直径データに基づき制御部をその検出した直径のコイン状部材の動作状態にセットし、それ以降の正規のコイン状部材送出動作がその動作状態で継続するよう自動セットするプログラムを前記制御部が備えたことを特徴とするコイン状部材貸機。
【請求項３】
前記検出部は直径の異なるコイン状部材に共通とし、前記直径データに基づき制御部をその検出した直径のコイン状部材の動作状態にセットする事項は、前記送出ロータの回転速度、前記収容部の貯蔵量が所定量よりも減少したときその残量について何回の払い出しを行なうかの回数、及び送出動作中にコイン状部材が詰まった場合の前記送出ロータの正転と逆転を行なう回数であることを特徴とする請求項１又は請求項２に記載のコイン状部材送出装置。
【発明の詳細な説明】
【技術分野】
【０００１】
本発明は、ベース部材上にコイン状部材の収容部を設け、ベース部材上に配置した送出ロータの回転によって収容部のコイン状部材を１枚ずつ送出する送出装置及びコイン状部材貸機に関し、特に、直径の異なるコイン状部材ごとに作製される送出装置の制御を共通化する技術に関する。
【背景技術】
【０００２】
貯蔵容器に貯留した硬貨、遊技用メダル等のコイン状部材を貯蔵容器の底部に設けたロータの回転によって１枚ずつ送出する送出装置がある。その代表的な構成として、硬貨、遊技用メダル等のコイン状部材を貯蔵する貯蔵容器（ホッパ）の底部には、電動機装置によって一方向へ回転する円盤状の送出ロータが設けられ、この送出ロータには複数の分離孔が略等間隔に同心円上に配置され、この送出ロータの回転に伴って、複数の分離孔にそれぞれコイン状部材が順次入りつつ、分離孔に入ったコイン状部材は、分離孔の底部から送出ロータの円周方向へ１枚ずつ押し出されて、貯蔵容器の側面部に形成した送出部からコイン状部材が１枚ずつ送出される。そして、この送出部には送出されるコイン状部材の通過枚数を計数する計数手段が設けられたものである。（例えば、特許文献１参照）。
【０００３】
この特許文献１のものでは、金属製の架台の上に合成樹脂製のベース部材が取り付けられ、このベース部材の上に、コイン状部材が１枚ずつ分離して入る分離孔を複数形成した送出ロータと、コイン状部材を貯蔵する貯蔵容器（ホッパ）、及び計数手段が取り付けられている。そして、計数手段として、一端が支軸によって架台に回動可能に枢着され、他端にカウントローラが回転可能に取り付けられ、そのカウントローラが取り付けられた側がバネ部材によって送出ロータ側に付勢された回動腕を備え、このカウントローラを押し退けつつ通過するコイン状部材によって、回動腕が回動することによって送出されるコイン状部材の通過枚数を計数する構成である。なお、計数手段としては、コイン状部材の送出通路をコイン状部材が通過することによって生じる電気、磁気、光などの変化を計測するものでもよいと記載されているが、具体的な構成は開示されていない。
【特許文献１】特開２００４−３１８５９５号公報
【発明の開示】
【発明が解決しようとする課題】
【０００４】
このようなコイン状部材送出装置において、計数手段として、上記のように回動腕が回動することによってスイッチを作動させる方式や、送出通路を通過するコイン状部材によって電気、磁気、光などの通路が遮られることによって生じる電気、磁気、光などの変化を計測する方式がある。
【０００５】
本発明はこの後者の方式に関するものであるが、コイン状部材としてメダルが使用される遊技機において、遊技機に併設したメダル貸機からその遊技機で使用するメダルの供給を受けるために、メダル貸機の貨幣挿入口へ真正貨幣を挿入するが、遊技客が挿入した真正貨幣（例えば、１０００円紙幣）の額に見合った枚数のメダル（例えば、１０００円紙幣の場合は５０枚）をメダル貸機内のメダル送出装置から遊技機の前面の受け皿へ払い出すものにおいて、現在、メダルには直径が２５ｍｍのものと、３０ｍｍのものがあり、いずれの直径のメダルを使用するかは、遊技場の管理者の裁量で決められている。このため、製造業者は、指定された大きさのメダルに適応した構造と制御回路とを備えたメダル送出装置をそれぞれ作製して納入することになる。
【０００６】
このように、メダルの大きさごとに異なる形態のメダル送出装置を作製することは、コストアップにも繋がり好ましくない。本発明はこの点に鑑みて、２５ｍｍのメダルのものと、３０ｍｍのメダルものに共通化できる構成として、コストダウンを図ると共に、遊技場の管理もし易いメダル送出装置とするものである。この場合、２５ｍｍのメダルのものと、３０ｍｍのメダルのものでは、メダル送出装置の送出ロータの分離孔の大きさや、計数手段が配置されるメダル送通路の幅等の構造的な変更は当然必要である。しかし、送出ロータを駆動する電動機の運転制御や、貯蔵容器（ホッパ）内のメダル残量検知手段が最低残量を検知した、それ以降、何回まで正規のメダル払い出しを行うかの制御や、メダル詰まりの解消のために送出ロータを正転・逆転を行う制御などの制御手段を共通化できるようにすることにより、目的を達成するものである。
【０００７】
本発明において、コイン状部材とは、円形状硬貨、円形状メダル等を含めた総称であり、以下に示す実施例では、コイン状部材を円形状のメダルとして記載する。また、薄片とは、紙幣を含むことは勿論のこと、プリペイドカードやその他のカードであって、遊技メダルの供給を受けるための有価カードを含めた総称であり、紙幣やカードの材質は問わない。
【課題を解決するための手段】
【０００８】
第１発明のコイン状部材送出装置は、ベース部材上にコイン状部材の収容部を設け、複数の分離孔を形成して前記ベース部材上に配置した送出ロータの回転によって、前記収容部のコイン状部材が１枚ずつ送出部へ送出され、この送出されるコイン状部材の通過を検出する検出部を前記送出部に備えたコイン状部材送出装置において、このコイン状部材送出装置の電源ＯＮ状態で最初に行われるコイン状部材送出動作時に、前記検出部で検出するコイン状部材の直径データに基づき、制御部をその検出した直径のコイン状部材の動作状態にセットし、それ以降の正規のコイン状部材送出動作がその動作状態で継続するよう自動セットするプログラムを前記制御部が備えたことを特徴とする。
【０００９】
第２発明は、コイン状部材貸機であり、ベース部材上にコイン状部材の収容部を設け、複数の分離孔を形成して前記ベース部材上に配置した送出ロータの回転によって、前記収容部のコイン状部材が１枚ずつ送出部へ送出され、この送出されるコイン状部材の通過を検出する検出部を前記送出部に備えたコイン状部材送出装置を組み込んだコイン状部材貸機において、前記コイン状部材送出装置の電源ＯＮ状態で最初に行われる正規のコイン状部材送出動作によって、前記検出部で検出するコイン状部材の直径データに基づき制御部をその検出した直径のコイン状部材の動作状態にセットし、それ以降の正規のコイン状部材送出動作がその動作状態で継続するよう自動セットするプログラムを前記制御部が備えたことを特徴とする。
【００１０】
第３発明は、第１発明又は第２発明に記載のコイン状部材送出装置において、前記検出部は直径の異なるコイン状部材に共通とし、前記直径データに基づき制御部をその検出した直径のコイン状部材の動作状態にセットする事項は、前記送出ロータの回転速度、前記収容部の貯蔵量が所定量よりも減少したときその残量について何回の払い出しを行なうかの回数、及び送出動作中にコイン状部材が詰まった場合の前記送出ロータの正転と逆転を行なう回数であることを特徴とする。
【発明の効果】
【００１１】
第１発明では、予め所定直径のコイン状部材（例えば、直径２５ｍｍメダル）の多数を検出部を通過させ、検出部で検出するコイン状部材の直径データに基づき、制御部をその検出した直径のコイン状部材の動作状態にセットするため、制御部を２５ｍｍメダル専用、または３０ｍｍメダル専用のものを製作する必要がなく、各メダル共通の制御部とすることができるため、製作し易くコストダウンが図れる。そして、実際にコイン状部材の収容部にメダルを入れ、その状態で送出動作を行うことによって、自動的にそのメダルに適応した設定ができるため、制御部の設定がし易くなる。
【００１２】
第２発明では、予め所定直径のコイン状部材（例えば、直径２５ｍｍメダル）の多数を検出部を通過させ、検出部で検出するコイン状部材の直径データに基づき、制御部をその検出した直径のコイン状部材の動作状態にセットするため、制御部を２５ｍｍメダル専用、または３０ｍｍメダル専用のものを製作する必要がなく、各メダル共通の制御部とすることができるため、製作し易くコストダウンが図れる。そして、実際にコイン状部材の収容部にメダルを入れ、その状態でコイン状部材貸機の電源をＯＮして開店すれば、最初の顧客が行う送出動作によって、自動的にそのメダルに適応した設定ができるため、制御部の設定がし易く、遊技場の管理も極めて簡素化されるものとなる。
【００１３】
第３発明では、検出部は直径の異なるコイン状部材に共通であるため、大きさが異なるコイン状部材の送出装置ごとに、検出部を変更する必要がなく、コストダウン化が図れることとなる。また、直径データに基づき制御部をその検出した直径のコイン状部材の動作状態にセットする事項は、送出ロータの回転速度、収容部の貯蔵量が所定量よりも減少したときその残量について何回の払い出しを行なうかの回数、及び送出動作中にコイン状部材が詰まった場合の送出ロータの正転と逆転を行なう回数であるため、コイン状部材の大きさに応じて適切な動作が得られ、好ましいものとなる。
【発明を実施するための最良の形態】
【００１４】
本発明のコイン状部材送出装置は、ベース部材上にコイン状部材の収容部を設け、複数の分離孔を形成して前記ベース部材上に配置した送出ロータの回転によって、前記収容部のコイン状部材が１枚ずつ送出部へ送出され、この送出されるコイン状部材の通過を検出する検出部を前記送出部に備えたコイン状部材送出装置において、最初に行われるコイン状部材送出動作時に前記検出部で検出するコイン状部材の直径データに基づき、制御部をその検出した直径のコイン状部材の動作状態にセットし、それ以降の正規のコイン状部材送出動作がその動作状態で継続するよう自動セットするプログラムを前記制御部が備えたものであり、本発明の実施例を以下に記載する。
【実施例１】
【００１５】
次に、薄片をその代表的な紙幣で表し、コイン状部材を円形状の遊技用メダルとした本発明の実施の形態について説明する。図１は本発明に係るコイン状部材送出装置の上面斜視図、図２は本発明に係るコイン状部材送出装置の送出部のカバーを外した斜視図、図３は本発明に係るコイン状部材送出装置の送出部のカバーを外した上面図、図４は本発明に係るコイン状部材送出装置の送出ロータとロータガイドリングの関係を示す断面図、図５は本発明に係る送出ロータの分離孔部分の裏側斜視図、図６は本発明に係る検出部を示す斜視図、図７は本発明に係る検出部の検出位置の説明図、図８は本発明に係る検出部をメダルが通過する通過時間とクロックパルスの関係を示す説明図、図９は本発明に係るコイン状部材送出装置を備えたメダル貸機と遊技機の併設状態を示す正面図、図１０は本発明に係る他の形態のメダル貸機の正面斜視図である。
【００１６】
本発明の実施の形態を図に基づき説明する。図９において、１は遊技機であり、スロットマシン、スロットルマシン、或いはパチスロ機と称される遊技機を示す。遊技機１では所定のメダルが使用されるため、メダル投入口２５に遊技に必要な最低１枚のメダル１００が投入された状態において、スタートレバー１Ａを操作することにより、３個のリール１Ｃが回転する。この状態でタイミングを見て３個のストップボタン１Ｂを押すことにより、リール１Ｃが順次停止し、表面に表示された各リール１Ｃの図柄や数字の組み合わせに応じて入賞メダルが、払い出し口からメダル受け皿１Ｄに払い出される仕組みである。
【００１７】
遊技機１にはコイン状部材の貸機であるメダルの貸機ＭＫが併設される。メダル貸機ＭＫは、遊技用メダル１００の供給を受けるために前面の挿入口１１１から挿入された紙幣や有価カード等の薄片の識別機能を有する薄片識別装置１１０と、この薄片の挿入によって所定枚数のメダル１００を払い出すメダル送出装置２と、電装部６０等が収納されている。メダル貸機ＭＫは、単に貸機と称する場合があり、また、遊技機１相互間に配置されるため台間貸機とも称される。各遊技機１にそれぞれ貸機ＭＫが併設配置され、この形態は一つの島を形成する状態であるため、これを遊技装置の島、遊技島と称している。遊技機１と貸機ＭＫは、遊技島の外観形成を整えるために略同一高さに形成されている。
【００１８】
有価カードとしては、プリペイドカード、その他のカード等の如くカードに貨幣価値が記憶されたものであり、このカードを薄片識別装置１１０に挿入することによって、メダル貸機ＭＫからメダル１００の供給を受けることができるものである。また、メダル貸機ＭＫは、その内部の上部に薄片の一つである紙幣の真偽を識別する薄片識別装置１１０が配置され、下部にコイン状部材送出装置であるメダル送出装置２が配置され、そして中間部に電装部６０が配置されている。
【００１９】
薄片挿入口１１１から挿入された紙幣の真偽判別を薄片識別装置１１０で行い、識別した真正紙幣は前記遊技島の裏側に設置した薄片搬送装置（図示せず）によって、前記遊技装置の島の端部に設けた金庫へ搬送される仕組みである。メダル貸機ＭＫに適用可能な紙幣は、例えば、１０００円以外に、２０００円、５０００円、１００００円の紙幣の一つ又は複数とすることもできる。
【００２０】
電装部６０は、薄片識別装置１１０とメダル送出装置２等に電気的に接続されている。このため電装部６０は、紙幣挿入口１１１から挿入され薄片識別装置１１０にて識別された真正紙幣の金額データの読み込み制御や、この金額データをメダル貸機ＭＫの前面板に設けた表示器に表示させる制御や、この真正紙幣の金額に対応してメダル送出装置２から所定数のメダルを払い出す制御（実施例では、最低購入単位として１０００円分で５０枚のメダルを払い出す）や、このメダル送出装置２から払い出すメダル数をメダル貸機ＭＫの前面に設けた表示器に表示させる制御や、貯蔵容器（ホッパ）５Ｐの収納メダルの不足状態を検知する残量検知部ＥＳで検知しＬＥＤ等の表示部等で報知する制御や、後述のように残量検知部ＥＳが最低残量を検知したとき、それ以降何回まで正規のメダル払い出しを行うかの制御を行う制御回路を備えた制御部６１を含む。
【００２１】
コイン状部材の送出装置であるメダル送出装置２は以下の構成をなす。即ち、合成樹脂製のベース部材４上には、円形状のコイン状部材であるメダル１００を収納する収容部５を形成する合成樹脂製の貯蔵容器（ホッパ）５Ｐが、ベース部材４に対してネジ又は係止装置によって着脱自在に取り付けられている。貯蔵容器（ホッパ）５Ｐは、上面と下面にそれぞれ開口５Ａ、５Ｂを有し、下面開口５Ｂは略円形をなす。この下面開口５Ｂに対応してベース部材４上には、複数の分離孔１０を形成した合成樹脂製の送出ロータ７が配置され、送出ロータ７は、ベース部材４の後側に取り付けた電動機装置８からベース部材４の上壁を貫通した回転軸９の先端部に取り付けられている。
【００２２】
回転軸９の先端部に取り付けられた送出ロータ７は、図４に示すように、ベース部材４の上面に形成した円形状の窪み４Ａに配置され、窪み４Ａの表面から若干離れた状態で電動機装置８によって、図４に示すようにＲ方向へ回転する構成である。送出ロータ７の上面周縁部及び周囲面と若干の間隔を存して送出ロータ７の上面周縁部と周囲面を覆うようにロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、図４に示すように、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００２３】
送出ロータ７が回転軸９の先端部に取り付けられて窪み４Ａに配置された状態で、ロータガイドリング２０の周縁部に複数箇所形成した切り欠き２０Ｃを各係止爪部２１に対応させるように、ロータガイドリング２０を段部４Ｂに載置し、この状態で図２及び図３において、ロータガイドリング２０を時計方向へ回動させることによって、図２、図３及び図４に示すように、ロータガイドリング２０が係止爪部２１の下側に潜り込んで係止されると共に、ロータガイドリング２０の端部２０Ｄがベース部材４に形成したストッパ段部２２に当接して、ロータガイドリング２０が所定位置に保持される。
【００２４】
送出ロータ７は、同心円上に複数の分離孔１０（図示のものは６個の分離孔を有するが、これに限定されない）を略等間隔に配置した円盤状をなし、各分離孔１０は、メダル１００の直径よりも若干大きい直径でもって送出ロータ７を上下に円形状に貫通し、上側周縁部には回転方向Ｒの下流側に下向きの低く傾斜状に広がった案内面１１を形成している。また、各分離孔１０の下側周縁部には、送出ロータの周縁に臨む開放出口１０Ａを形成し、この開放出口１０Ａの回転方向Ｒの下流側には、図５に示すように、送出ロータ７の周縁へ延びる流線型の押し出し壁１２を形成している。この構成によって、送出ロータ７の回転によって、貯蔵容器（ホッパ）５Ｐのメダル１００は、１枚ずつ分離して分離孔１０に順次入り込み、分離孔１０の底部に入り込んだメダル１００は、送出ロータ７の回転に伴ってベース部材４の上面を滑りつつ押し出し壁１２によって、ベース部材４の上面に形成した送出部１３へ向けて、開放出口１０Ａから送出ロータ７の外方へ押し出される仕組みである。このようにして、メダル１００は、送出ロータ７の回転に伴って各分離孔１０から１枚ずつ送出される。
【００２５】
送出ロータ７の回転に伴って送出ロータ７の外方へ押し出されたメダル１００は、コイン状部材通路を構成する送出部１３へ入る。送出部１３の入口部には、送出ロータ７から外方へ押し出されたメダル１００が最初に通過する位置に、メダル１００の直径よりも若干小さい間隔を存して、固定側壁１５と可動体１６が配置されている。送出ロータ７の回転に伴って分離孔１０の底部に入り込んだメダル１００は、開放出口１０Ａから送出ロータ７の外方へ移動し、固定側壁１５の内側の傾斜面１５Ｂに当接して、押し出し壁１２によって押され回転しつつ押し出される。
【００２６】
このようにして送出ロータ７の外方へ押し出されたメダル１００は、送出部１３へ入り、図３に示すように、送出部１３をＹ１方向に通って、送出装置２の側面に形成した送出口１４から送出される。送出口１４から送出されるメダル１００は、図９に示すように、ノズル２Ｎを通って遊技機１の前面に設けた受け皿１Ｄへ供給され、遊技客による次の遊技に使用可能となる。送出部１３の通路幅Ｔ１は、固定側壁１５の先端の直線部１５Ａとその対面側に固定側壁１５と並行に配置した固定側壁２６との間隔で形成される。この通路幅Ｔ１は、メダル１００が円滑に移動できるように、メダル１００の直径よりも若干大きい寸法に定めている。
【００２７】
図３に示すように、固定側壁１５は、送出部１３の入口側の送出ロータ７の回転方向（Ｒ）手前側に送出ロータ７から送出されるメダル１００が当接する位置に設けられており、耐磨耗性を考慮して金属製とし、実施例ではステンレススチールで構成している。可動体１６は、固定側壁１５に対して送出ロータ７の回転方向（Ｒ）前方側に位置し、メダル１００によって押し圧作動されるようにバネ１７で付勢された状態に設けられている。可動体１６は、Ｌ字状の可動アーム１９に立設した軸１９Ａに回転可能に取り付けた円筒体１６Ａで構成され、可動アーム１９は、ベース部材４の下側に中央部を回転可能に軸１８で支持されると共に、他端部が復帰作用バネ１７の引っ張り力によって引っ張られており、この状態で、可動体１６は固定側壁１５との間にメダル１００の直径よりも若干小さい間隔を維持している。
【００２８】
このため、送出ロータ７の外方へ押し出されるメダル１００は、この固定側壁１５と可動体１６との間に到達した際、図３に点線で示すように、可動体１６をバネ１７の引っ張り力に抗して１６Ａの状態に押し退けつつ進み、メダル１００の直径部が通過したとき、バネ１７の引っ張り力によって復帰する可動体１６によって、送出口１４方向へ弾き飛ばされる。この弾き飛ばされたメダル１００は、固定側壁２６側から送出部１３に臨むように配置した検出部２３をＹ１方向に通過して、送出口１４から送出される。
【００２９】
検出部２３は、検出センサとして発光部と受光部からなる光センサ構成である。実施例では、発光部２４Ａと受光部２５Ａ、及び発光部２４Ｂと受光部２５Ｂの二組の光センサで構成されており、メダル１００が検出部２３を通過するとき、発光部２４Ａから受光部２５Ａへ到達する光通路、又は発光部２４Ｂから受光部２５Ｂへ到達する光通路が遮られることによって、メダル１００の通過枚数を電装部６０に設けた制御部６１の計数部（図示せず）によって計数する仕組みである。
【００３０】
検出部２３における検出位置は、メダル１００の直径を外れた部位での検出としている。即ち、送出ロータ７から送出されるメダル１００が連なって送出される場合にも、１枚ずつの検出ができるようにするために、発光部２４Ａ、２４Ｂから受光部２５Ａ、２５Ｂへ至るそれぞれの光通路は、送出されるメダル１００の直径部位ではなく、直径部位から外れた位置、即ち、メダル１００の直径よりも短い部位での検出としている。即ち、図７に示すように、円形状のメダル１００の中心ＣＨを通る直径部位から固定側壁２６側に寄った位置ＡＨとＢＨで検出するように、それぞれ発光部２４Ａから受光部２５Ａへ至る光通路と、発光部２４Ｂから受光部２５Ｂへ至る光通路を定めている。
【００３１】
また、検出部２３は一つの発光部２４Ａと一つの受光部２５Ａのみでもよいが、発光部２４Ａと受光部２５Ａ、及び発光部２４Ｂと受光部２５Ｂの二組で構成されるのは、上記のように検出精度を上げると共に、悪戯対策である。即ち、メダル１００がＹ１方向に通った場合の検出パルスを計数信号として制御部６１で採用し、悪戯によってＹ１方向と反対方向にメダル１００が押し込まれて通過した場合の検出パルスを不採用とすることによって、悪戯によって誤った計数がされないようにしている。検出部２３をこのような受光量の変化によって検知する方式に替えて、メダル１００が通過することによって生じる電気量（静電容量、誘起起電力、周波数など）の変化や又は磁気量の変化などを計測するものでもよい。
【００３２】
送出部１３と検出部２３の部分は、合成樹脂製のカバー３２によって覆われている。カバー３２は、ベース部材４の上面に形成した係止部３３に下側に潜り込んで係止され、他端側はネジ３４によってベース部材４にネジ止めされる。このカバー３２の下面３２Ａと送出部１３の上面１３Ａとの間隔Ｔ２が、メダル１００の厚さＴ０よりも若干大きい寸法になっている。これによって、固定側壁１５と固定側壁２６の間隔Ｔ１（メダル１００の直径方向の間隔）と、このカバー３２の下面３２Ａと送出部１３の上面１３Ａとの間隔Ｔ２（メダル１００の厚さ方向の間隔）との間が、送出部１３のコイン状部材通路の大きさである。そして、この送出部１３のコイン状部材通路の出口が、メダル１００の送出口１４となる。
【００３３】
検出部２３は、発光部２４Ａと受光部２５Ａの組み合わせ位置、及び発光部２４Ｂと受光部２５Ｂの組み合わせ位置を正確にするために、図６に示すように、発光部２４Ａ、２４Ｂと受光部２５Ａ、２５Ｂとを合成樹脂製ホルダ２３Ａ内に収めた構成である。合成樹脂製ホルダ２３Ａは略コ字形をなし、その一方の辺である上辺２３Ａ１に発光部２４Ａ、２４Ｂが送出部１３に上方から臨むように、上手側（上流側）と下手側（下流側）の配置で内蔵され、上辺２３Ａ１に対抗する合成樹脂製ホルダ２３Ａの他方の辺である下辺２３Ａ２には、受光部２５Ａ、２５Ｂが送出部１３に下方から臨むように、上手側（上流側）と下手側（下流側）の配置で内蔵されている。そして、合成樹脂製ホルダ２３Ａの発光部２４Ａ、２４Ｂから受光部２５Ａ、２５Ｂに至るそれぞれの光通路部分は、透明資材で構成された透明部２３Ｂを形成している。
【００３４】
合成樹脂製ホルダ２３Ａは、発光部２４Ａ、２４Ｂと受光部２５Ａ、２５Ｂを合成樹脂成形によって埋設する構成の場合と、合成樹脂製ホルダ２３Ａがケースで構成され、このケースの中に発光部２４Ａ、２４Ｂと受光部２５Ａ、２５Ｂを収納して密閉する構成の場合とがある。本発明では、合成樹脂成形によって埋設する構成の場合、及びこのケース構成の場合の両方を含めて、合成樹脂製ホルダ２３Ａと称している。
【００３５】
例えば、パチンコ店のような遊技場で、スロットマシンやパチスロ機と称する遊技機１で使用されるコイン状部材１００として、遊技用メダルがある。この遊技用メダル１００は、一般に直径が２５ｍｍのものと３０ｍｍのものがあり、メダル送出装置２は、それぞれ２５ｍｍメダルと３０ｍｍメダルに対応するように、構造上では、送出部１３のコイン状部材通路の大きさＴ１、Ｔ２や、それに合わせた大きさの分離孔１０の送出ロータ７等を採用した２５ｍｍメダル用送出装置２と、３０ｍｍメダル用送出装置２がそれぞれ必要である。
【００３６】
また、従来では、検出部２３も、２５ｍｍメダル用と３０ｍｍメダル用に作製した発光部２４Ａ、２４Ｂと受光部２５Ａ、２５Ｂを備え、それに係る電装部６０に設けた制御部６１も、２５ｍｍメダル用と３０ｍｍメダル用にそれぞれ別個に作製したものが採用されている。
【００３７】
本発明では、構造が２５ｍｍメダル用と３０ｍｍメダル用に作製したメダル送出装置２において、制御方式を共通化することによりコストダウンを図るために、検出部２３も、２５ｍｍメダル用と３０ｍｍメダル用に共通化して、発光部２４Ａ、２４Ｂと受光部２５Ａ、２５Ｂを共通仕様とし、同じものを使用する。また、制御部６１も２５ｍｍメダル用と３０ｍｍメダル用に共通化したものとする。
【００３８】
このため、発光部２４Ａ、２４Ｂと受光部２５Ａ、２５Ｂは、図７において、２５ｍｍメダル１００の場合も３０ｍｍメダル１００の場合も、メダル１００の中心ＣＨを通る直径部位から固定側壁２６側に寄った略同じ位置ＡＨとＢＨで検出するように、それぞれ発光部２４Ａから受光部２５Ａへ至る光通路と、発光部２４Ｂから受光部２５Ｂへ至る光通路を定めるように、２５ｍｍメダル１００と３０ｍｍメダル１００に共通の検出部２３を構成する。
【００３９】
そして、発光部２４Ａから受光部２５Ａへ到達する光通路、または発光部２４Ｂから受光部２５Ｂへ到達する光通路が、通過するメダル１００によって遮られる時間を測定すれば、２５ｍｍメダル１００か３０ｍｍメダル１００かが判る。即ち、図８に示すように、制御部６１によって、前記光通路が２５ｍｍメダル１００によって遮られる時間Ｔ２５によって発生する矩形パルスＰ２５と、３０ｍｍメダル１００によって遮られる時間Ｔ３０の矩形パルスＰ３０を発生させ、この矩形パルスＰ２５とクロックパルスのＡＮＤによって矩形パルスＰ２５内のクロックパルス数をカウントすることにより時間Ｔ２５が測定される。また、矩形パルスＰ３０とクロックパルスのＡＮＤによって矩形パルスＰ３０内のクロックパルス数をカウントすることにより時間Ｔ３０が測定される。これによって、２５ｍｍメダル１００か３０ｍｍメダル１００かが判る。
【００４０】
このように、２５ｍｍメダル用と３０ｍｍメダル用に共通化した制御部６１は、メダル１００が検出部２３を通過する通過時間の差異によってメダル１００の大きさを判別する制御方式とする。この状態において、コイン状部材送出装置２は、最初に行われるコイン状部材送出動作時に検出部２３で検出するコイン状部材１００の直径データに基づき、制御部６１をその検出した直径のコイン状部材１００の動作状態にセットし、それ以降の正規のコイン状部材送出動作がその動作状態で継続するよう自動セットするプログラムを制御部６１が備えている。すなわち、上記のように構造が２５ｍｍメダル用に作製されたメダル送出装置２をメダル貸機ＭＫ内に組み込んで遊技場に設置する。そして、その貯蔵容器（ホッパ）５Ｐに２５ｍｍメダルを収納し、電源スイッチをＯＮした状態で、最初に行われる２５ｍｍメダル送出動作によって、検出部２３で検出する２５ｍｍメダル１００の直径データに基づき、制御部６１をその検出した２５ｍｍメダル１００の動作状態にセットし、それ以降の正規の２５ｍｍメダル送出動作がその動作状態で継続するよう自動セットするプログラムを制御部６１が備えている。
【００４１】
遊技場では、毎日閉店後にメダル送出装置２を含む各貸機ＭＫの電源をＯＦＦし、開店日にはメダル送出装置２を含む各貸機ＭＫの電源をＯＮとする。遊技場の毎日の開店日ごとに、遊技客が紙幣挿入口１１１へ１０００円紙幣を挿入することによって、薄片識別装置１１０にて識別された真正紙幣の金額データに基づき、メダル送出装置２が動作して所定数である５０枚のメダル１００が、検出部２３を通過して送出部１３から送出され、そのメダル１００はノズル２Ｎを通して、貸機ＭＫの前面から遊技機１のメダル受け皿１Ｄに払い出される。
【００４２】
本発明では、このように、閉店後にメダル送出装置２を含む各貸機ＭＫの電源をＯＦＦし、開店前にはメダル送出装置２を含む各貸機ＭＫの電源をＯＮとすることに着目し、その開店後の最初の遊技客が紙幣挿入口１１１へ１０００円紙幣を挿入することによって、正規のコイン状部材送出動作を行うようにメダル送出装置２が動作して、所定数である５０枚のメダル１００が検出部２３を通過することを利用して、その５０枚の各メダル１００の直径データを収集し、その平均値を算出するプログラムを制御部６１に予め備えておく。即ち、２５ｍｍメダル１００が検出部２３を通過して算出された平均値を時間Ｔ２５とし、これを制御部６１のメモリに基準値として記憶する。
【００４３】
この基準値に基づき、この制御部６１は、その中の計数部や貯蔵容器（ホッパ）５Ｐ内のメダル残量検知制御動作（エンプティ制御部）や、メダル送出動作に詰まりが生じた場合の詰まり解消動作や、正規のメダル送出動作における送出ロータ７の回転速度等を、２５ｍｍメダル用として動作する状態に自動プリセットする。
【００４４】
このセット状態でもって、次の遊技客以降、紙幣挿入口１１１へ１０００円紙幣を挿入することによって、薄片識別装置１１０にて識別された真正紙幣の金額データに基づき、メダル送出装置２が動作して所定数である５０枚のメダル１００が、検出部２３を通過して送出部１３から送出され、そのメダル１００はノズル２Ｎを通して、貸機ＭＫの前面から遊技機１のメダル受け皿１Ｄに払い出される。この場合も、発光部２４Ａから受光部２５Ａへ到達する光通路、又は発光部２４Ｂから受光部２５Ｂへ到達する光通路が、通過するメダル１００によって遮られることによって、コイン状部材１００の通過枚数を電装部６０に設けた制御部６１の計数部（図示せず）によって計数する。
【００４５】
このように、２５ｍｍメダル用として動作する状態に制御部６１がプリセットされる。このプリセットとしては、送出ロータ７が所定の回転速度で回転するようにプリセットされる。また、その回転によって２５ｍｍメダル１００の払い出しが行なわれ、貯蔵容器（ホッパ）５Ｐ内に収納した２５ｍｍメダルの貯蔵量が所定量よりも減少したとき、即ち、図１に示す残量検知部ＥＳよりも貯蔵量が低下したとき、その残量について何回の払い出しを行なうかの回数がプリセットされる。即ち、制御部６１のエンプティ制御部は、その残量について、１０００円紙幣の挿入ごとに所定数（実施例では５０枚）のメダル１００をメダル送出装置２から送出する送出回数は、所定回数Ｐ２５（例えば、５０枚ずつ３回）と定められる。更に、２５ｍｍメダル１００の払い出し動作中にメダル１００が詰まった場合、送出ロータ７の正転と逆転を行なう回数がプリセットされる。
【００４６】
貯蔵容器（ホッパ）５Ｐ内のメダル残量を検知するメダル残量検知制御部（エンプティ制御部）は制御部６１に設けられ、例えば後述の導電部材３０と残量検知部ＥＳとが、その間に収納されたメダルによって通電状態に短絡されている場合は、所定量以上のメダルが収納されていると判定し、メダル収納量が減少して導電部材３０と残量検知部ＥＳとの間がメダル１００による短絡がなくなり通電状態が切れたとき、収納量が不足したと判定するものである。
【００４７】
送出ロータ７の回転によって２５ｍｍメダル１００の払い出しが行なわれ、貯蔵容器（ホッパ）５Ｐ内に収納した２５ｍｍメダルが減少して、残量検知部ＥＳよりも貯蔵量が低下したとき、その残量について、送出ロータ７の回転によって送出する送出回数は、上記のように所定回数Ｐ２５（例えば、３回）であるため、この所定回数Ｐ２５（例えば、３回）の送出動作が終了したとき、メダル送出装置２を稼動停止状態とし、遊技機１での遊技停止状態とする。この停止状態から再び正規の稼動状態とするには、貯蔵容器（ホッパ）５Ｐ内に、残量検知部ＥＳよりも上位となる十分な量のメダル１００を補充すれば、再び、つぎの顧客による紙幣の挿入によって、上記同様にプリセット状態から始まる。
【００４８】
上記のように、２５ｍｍメダル１００の払い出し動作中に、貯蔵容器（ホッパ）５Ｐ内でメダル同士がブリッジして詰まり現象を生じる。メダル１００が詰まった場合に送出ロータ７の正転と逆転を行なう回数が所定回数にプリセットされる。２５ｍｍメダル１００の場合、実施例ではこの回数が３回にプリセットされる。正規のメダル送出動作における先行メダル１００が検出部２３を通過してから後続メダル１００が検出部２３を通過する時間をＴＸとすれば、メダル詰まりが生じた場合は、この時間ＴＸよりもかなり長くなるため、その状態を制御部６１の判別手段によって判別すれば、メダル詰まりの検出ができる。このメダル詰まり検出があった場合、送出ロータ７は、正転と逆転を３回行なった後、残りの正規の送出動作を開始する。この際にも上記同様にしてメダル詰まりが検出された場合は、メダル送出動作を停止し、貸機MKの前面の警告灯を点灯してメダル詰まりを報知する。
【００４９】
このように、コイン状部材送出装置２は、最初に行われるコイン状部材送出動作時に検出部２３で検出する所定枚数のコイン状部材１００の直径データに基づき、制御部６１をその検出した直径のコイン状部材１００の動作状態にセットし、それ以降の正規のコイン状部材送出動作がその動作状態で継続するよう自動セットするプログラムを制御部６１が備えたことを特徴とする。
【００５０】
この特徴を有効的に活かすために、遊技場では、毎日閉店後に各貸機ＭＫの電源をＯＦＦし、開店前にＯＮ することに着目し、開店日ごとに、遊技客が紙幣挿入口１１１へ正規の紙幣（上記では１０００円紙幣）を挿入することによって行われる正規のコイン状部材１００の送出動作において、その最初（スタート時）に行われる送出動作によって、検出部２３で検出するコイン状部材１００の直径データに基づき、制御部６１をその検出した直径のコイン状部材１００の動作状態に自動セットし、それ以降の正規のコイン状部材１００の送出動作が、そのセットされた動作状態で継続するようにする。
【００５１】
上記のように、予め２５ｍｍメダルの多数の所定枚数（上記では５０枚としているが、これに限定されず、所定枚数を４０枚、１００枚等任意に設定してもよい）を検出部２３を通過させてその基準値を記憶させ、制御部６１を２５ｍｍメダル用として動作する状態に自動セットすることが、その開店日の最初の顧客である遊技客が、紙幣挿入口１１１へ正規の紙幣（上記では１０００円紙幣）を挿入することによって行われる正規のコイン状部材１００の送出動作によって行われるため、遊技場の管理者が毎日開店前にメダル送出装置２を稼動させて設定する作業が不要となり、管理上でも大きなメリットとなる。
【００５２】
なお、遊技場の毎日の開店日ごとに、遊技場の管理者が毎日開店前に各貸機ＭＫの紙幣挿入口１１１へ１０００円紙幣を挿入することによって、薄片識別装置１１０にて識別された真正紙幣の金額データに基づき、メダル送出装置２が動作して所定数である５０枚のメダル１００が、検出部２３を通過して送出部１３から送出し、このとき検出部２３で検出したデータを基準値とし、制御部６１を２５ｍｍメダル用として動作する状態に自動セットすることでもよいが、上記のように最初の顧客である遊技客が紙幣挿入口１１１へ正規の紙幣を挿入する場合に比して、面倒さが伴うこととなる。
【００５３】
また、３０ｍｍメダル１００についても２５ｍｍメダルの場合と同様である。即ち、メダル送出装置２は、３０ｍｍメダルに対応するように、送出部１３のコイン状部材通路の大きさＴ１、Ｔ２や、それに合わせた大きさの分離孔１０の送出ロータ７等、構造的に３０ｍｍメダル１００に作製されたものが使用される。そして、このメダル送出装置２が組み込まれた貸機ＭＫが遊技場に設置された状態で、その開店日の最初の遊技客が紙幣挿入口１１１へ１０００円紙幣を挿入することによって、メダル送出装置２が動作して所定数である５０枚のメダル１００が検出部２３を通過することを利用して、その５０枚の各メダル１００の直径データを収集し、その平均値を算出するプログラムを制御部６１に予め備えておく。即ち、３０ｍｍメダル１００が検出部２３を通過して算出された平均値を時間Ｔ３０とし、これを制御部６１のメモリに基準値として記憶する。
【００５４】
この基準値に基づき、この制御部６１は、その中の計数部や貯蔵容器（ホッパ）５Ｐ内のメダル残量検知制御動作（エンプティ制御部）や、メダル送出動作に詰まりが生じた場合の詰まり解消動作や、正規のメダル送出動作における送出ロータ７の回転速度等を、３０ｍｍメダル用として動作する状態に自動プリセットする。
【００５５】
このプリセット状態でもって、次の遊技客以降、紙幣挿入口１１１へ１０００円紙幣を挿入することによって、薄片識別装置１１０にて識別された真正紙幣の金額データに基づき、メダル送出装置２が動作して所定数である５０枚のメダル１００が、検出部２３を通過して送出部１３から送出され、そのメダル１００はノズル２Ｎを通して、貸機ＭＫの前面から遊技機１のメダル受け皿１Ｄに払い出される。この場合も、発光部２４Ａから受光部２５Ａへ到達する光通路、又は発光部２４Ｂから受光部２５Ｂへ到達する光通路が、通過するメダル１００によって遮られることによって、コイン状部材１００の通過枚数を電装部６０に設けた制御部６１の計数部（図示せず）によって計数する。
【００５６】
このように、３０ｍｍメダル用として動作する状態に制御部６１がプリセットされる。このプリセットとしては、送出ロータ７が所定の回転速度で回転するようにプリセットされる。また、その回転によって３０ｍｍメダル１００の払い出しが行なわれ、貯蔵容器（ホッパ）５Ｐ内に収納した３０ｍｍメダルが減少して、図４に示す残量検知部ＥＳよりも貯蔵量が低下したとき、その残量について何回の払い出しを行なうかの回数がプリセットされる。更に、３０ｍｍメダル１００の払い出し動作中にメダル１００が詰まった場合、送出ロータ７の正転と逆転を行なう回数がプリセットされる。
【００５７】
２５ｍｍメダルと同じ大きさの貯蔵容器（ホッパ）５Ｐを採用したコイン状部材送出装置２においては、貯蔵容器（ホッパ）５Ｐに収納される枚数が２５ｍｍメダル１００の収納枚数よりも少ないため、上記のようにして３０ｍｍメダル用として動作する状態に制御部６１がプリセットされた場合、送出ロータ７の回転によって３０ｍｍメダル１００の払い出しが行なわれ、貯蔵容器（ホッパ）５Ｐ内に収納した２５ｍｍメダルの貯蔵量が所定量よりも減少したとき、即ち、貯蔵容器（ホッパ）５Ｐ内に収納した３０ｍｍメダルが減少して、図１に示す残量検知部ＥＳよりも貯蔵量が低下したとき、その残量について何回の払い出しを行なうかの回数がプリセットされる。即ち、制御部６１のエンプティ制御部は、その残量について、１０００円紙幣の挿入ごとに所定数（実施例では５０枚）のメダル１００をメダル送出装置２から送出する送出回数は、２５ｍｍメダルのものに比して少ない所定回数Ｐ３０（例えば、５０枚ずつ２回）に定められる。
【００５８】
送出ロータ７の回転によって３０ｍｍメダル１００の払い出しが行なわれ、貯蔵容器（ホッパ）５Ｐ内に収納した３０ｍｍメダルが減少して、残量検知部ＥＳよりも貯蔵量が低下したとき、その残量について、送出ロータ７の回転によって送出する送出回数は、上記のように所定回数Ｐ３０（例えば、２回）であるため、この所定回数Ｐ３０（例えば、２回）の送出動作が終了したとき、メダル送出装置２を稼動停止状態とし、遊技機１での遊技停止状態とする。この停止状態から再び正規の稼動状態とするには、貯蔵容器（ホッパ）５Ｐ内に、残量検知部ＥＳよりも上位となる十分な量のメダル１００を補充すれば、再び、つぎの顧客による紙幣の挿入によって、上記同様にプリセット状態から始まる。
【００５９】
上記のように、３０ｍｍメダル１００の払い出し動作中に、メダル１００が詰まった場合の送出ロータ７の正転と逆転を行なう回数が所定回数にプリセットされる。３０ｍｍメダル１００の場合、２５ｍｍメダル１００に比して直径が大きいため、貯蔵容器（ホッパ）５Ｐ内でメダル同士がブリッジして詰まり現象を生じ易い。このため、実施例ではこの送出ロータ７が正転と逆転を行なう回数が、２５ｍｍメダル１００の場合よりも多く、５回にプリセットされる。正規のメダル送出動作における先行メダル１００が検出部２３を通過してから後続メダル１００が検出部２３を通過する時間をＴＸとすれば、メダル詰まりが生じた場合は、この時間ＴＸよりもかなり長くなるため、その状態を制御部６１の判別手段によって判別すれば、メダル詰まりの検出ができる。このメダル詰まり検出があった場合、送出ロータ７は、正転と逆転を５回行なった後、残りの正規の送出動作を開始する。この際にも上記同様にしてメダル詰まりが検出された場合は、メダル送出動作を停止し、貸機MKの前面の警告灯を点灯してメダル詰まりを報知する。
【００６０】
このように、コイン状部材送出装置２は、最初に行われるコイン状部材送出動作時に検出部２３で検出するコイン状部材１００の直径データに基づき、制御部６１をその検出した直径のコイン状部材１００の動作状態にセットし、それ以降の正規のコイン状部材送出動作がその動作状態で継続するよう自動セットするプログラムを制御部６１が備えたことを特徴とする。
【００６１】
この特徴を有効的に活かすために、遊技場では、毎日閉店後に各貸機ＭＫの電源をＯＦＦし、開店前にＯＮ することに着目し、開店日ごとに、遊技客が紙幣挿入口１１１へ正規の紙幣（上記では１０００円紙幣）を挿入することによって行われる正規のコイン状部材１００の送出動作において、その最初に行われる送出動作によって、検出部２３で検出するコイン状部材１００の直径データに基づき、制御部６１をその検出した直径のコイン状部材１００の動作状態に自動セットし、それ以降の正規のコイン状部材１００の送出動作が、そのセットされた動作状態で継続するようにする。
【００６２】
上記のように、予め３０ｍｍメダルの多数の所定枚数（上記では５０枚としているが、これに限定されず、所定枚数を４０枚、１００枚等任意に設定してもよい）を検出部２３を通過させてその基準値を記憶させ、制御部６１を３０ｍｍメダル用として動作する状態に自動セットすることが、その開店日の最初の顧客である遊技客が、紙幣挿入口１１１へ正規の紙幣（上記では１０００円紙幣）を挿入することによって行われる正規のコイン状部材１００の送出動作によって行われるため、遊技場の管理者が毎日開店前にメダル送出装置２を稼動させて設定する作業が不要となり、管理上でも大きなメリットとなる。
【００６３】
なお、遊技場の毎日の開店日ごとに、遊技場の管理者が毎日開店前に各貸機ＭＫの紙幣挿入口１１１へ１０００円紙幣を挿入することによって、薄片識別装置１１０にて識別された真正紙幣の金額データに基づき、メダル送出装置２が動作して所定数である５０枚のメダル１００が、検出部２３を通過して送出部１３から送出し、このとき検出部２３で検出したデータを基準値とし、制御部６１を３０ｍｍメダル用として動作する状態に自動セットすることでもよいが、上記のように最初の顧客である遊技客が紙幣挿入口１１１へ正規の紙幣を挿入する場合に比して、面倒さが伴うこととなる。
【００６４】
静電気除去のために、合成樹脂製ホルダ２３Ａを導電性合成樹脂ホルダとし、このホルダ２３Ａをアース線でアース側である貸機ＭＫの金属部に取り付ける構成によって、ホルダ２３Ａが静電気を帯びても、発光部２４Ａ、２４Ｂ又は受光部２５Ａ、２５Ｂが、それによって悪影響を受けないようにしている。
【００６５】
また、コイン状部材１００が帯びた静電気を逃がすようにするために、固定側壁１５と固定側壁２６を導電性部材で構成し、これらを導電性のステンレススチールで構成している。固定側壁２６は、その基部をネジ３６、３５によってベース部材４の上面に取り付けている。そして、このネジ３６と３５の少なくとも一方が導電性ネジであり、これが貸機ＭＫの金属部にアース線で接続される構成によって、固定側壁２６はアース側である貸機ＭＫの金属部に電気的に接続される。また、コイン状部材１００が帯びた静電気を逃がす構成として、固定側壁１５が、導電性ネジ３１によってベース部材４の上面に取り付けられ、固定側壁１５からも静電気を逃がすようにしている。更に、コイン状部材１００が帯びた静電気を逃がす構成として、送出ロータ７の分離孔１０に侵入したコイン状部材１００が接触する位置に、静電気を逃がす導電部材３０をベース部材４上に固定し、アース線で貸機ＭＫの金属部と電気的接続状態にしている。貸機ＭＫの金属部はアース線でもってアースされる。
【００６６】
上記のメダル貸機ＭＫは、メダル送出装置２から送出されるメダル１００が、ノズル２Ｎを通して貸機ＭＫの前面から遊技機１の前面のメダル受け皿１Ｄに払い出される仕組みであるが、図１０に示すように、メダル送出装置２から送出されるメダル１００が、貸機ＭＫの前面に設けたメダル受け皿５１に払い出される仕組みでもよい。
【産業上の利用可能性】
【００６７】
本発明は、上記実施形態に限定されず、本発明の技術的範囲を逸脱しない限り種々の変更が考えられ、それに係る種種の実施形態を包含するものである。
【図面の簡単な説明】
【００６８】
【図１】本発明に係るコイン状部材送出装置の上面斜視図である。（実施例１）
【図２】本発明に係るコイン状部材送出装置の送出部のカバーを外した斜視図である。（実施例１）
【図３】本発明に係るコイン状部材送出装置の送出部のカバーを外した上面図である。（実施例１）
【図４】本発明に係るコイン状部材送出装置の送出ロータとロータガイドリングの関係を示す断面図である。（実施例１）
【図５】本発明に係る送出ロータの分離孔部分の裏側斜視図である。（実施例１）
【図６】本発明に係る検出部を示す斜視図である。（実施例１）
【図７】本発明に係る検出部の検出位置の説明図である。（実施例１）
【図８】本発明に係る検出部をメダルが通過する通過時間とクロックパルスの関係を示す説明図である。（実施例１）
【図９】本発明に係るコイン状部材送出装置を備えたメダル貸機と遊技機の併設状態を示す正面図である。（実施例１）
【図１０】本発明に係る他の形態のメダル貸機の正面斜視図である。（実施例１）
【符号の説明】
【００６９】
１・・・・遊技機
２・・・・コイン状部材送出装置
４・・・・ベース部材
５・・・・コイン状部材の収容部
５Ｐ・・・貯蔵容器（ホッパ）
７・・・・送出ロータ
８・・・・電動機装置
９・・・・回転軸
１０・・・分離孔
１３・・・送出部
１５・・・固定側壁
１６・・・可動体
１７・・・バネ
２０・・・ロータガイドリング
２０Ｃ・・切り欠き
２１・・・係止爪部
２３・・・検出部
２４Ａ、２４Ｂ・・・発光部
２５Ａ、２５Ｂ・・・受光部
２６・・・固定側壁
６１・・・制御部
１００・・コイン状部材
１１０・・薄片識別装置
ＭＫ・・・メダル貸機
【図１】
2008027047.tif 000003
【図２】
2008027047.tif 000004
【図３】
2008027047.tif 000005
【図４】
2008027047.tif 000006
【図５】
2008027047.tif 000007
【図６】
2008027047.tif 000008
【図７】
2008027047.tif 000009
【図８】
2008027047.tif 000010
【図９】
2008027047.tif 000011
【図１０】
2008027047.tif 000012